(57)【要約】【課題】フラットケーブルの破断を防止する。【解決手段】コネクタＡは、背面１６にスリット状開口部１７が形成されたハウジング１０と、スリット状開口部１７からハウジング１０の外部へ導出されたシート状のフラットケーブル２９と、ハウジング１０に形成され、フラットケーブル２９がハウジング１０外への導出方向に沿った仮想軸線３４を中心として捻られたときに、フラットケーブル２９の側縁部２９Ｓにおける湾曲領域２９Ｗを線接触又は面接触させる当て部３５とを備えている。【選択図】図１
2020077525.tif 000002
【特許請求の範囲】
【請求項１】
背面にスリット状開口部が形成されたハウジングと、
前記スリット状開口部から前記ハウジングの外部へ導出されたシート状のフラットケーブルと、
前記ハウジングに形成され、前記フラットケーブルが前記ハウジング外への導出方向に沿った仮想軸線を中心として捻られたときに、前記フラットケーブルの側縁部における湾曲領域を線接触又は面接触させる当て部とを備えていることを特徴とするコネクタ。
【請求項２】
前記当て部は、前記スリット状開口部の長辺側開口縁の幅方向における端部に形成され、
前記ハウジングを前記フラットケーブルの厚さ方向に見たときに、前記当て部が、前記フラットケーブルの前記側縁部のうち前記仮想軸線に沿った外側縁に対して鋭角をなしていることを特徴とする請求項１記載のコネクタ。
【請求項３】
前記当て部は、前記スリット状開口部の長辺側開口縁の幅方向における端部に形成され、
前記ハウジングを前記フラットケーブルの厚さ方向に見たときに、前記当て部が、前記フラットケーブルの前記側縁部のうち前記仮想軸線に沿った外側縁よりも外方へ張り出した形態であることを特徴とする請求項１又は請求項２記載のコネクタ。
【請求項４】
前記ハウジングを前記フラットケーブルの幅方向に見たときの前記当て部の形状が、テーパ状又は円弧状をなしていることを特徴とする請求項１ないし請求項３のいずれか１項に記載のコネクタ。
【発明の詳細な説明】
【技術分野】
【０００１】
本発明は、コネクタに関するものである。
【背景技術】
【０００２】
特許文献１には、フラットハーネスの先端部に複数の接続端子を取り付け、複数の接続端子をコネクタハウジング内に収容した形態のコネクタが開示されている。フラットハーネスは、合成樹脂材料からなり、シート状をなしている。フラットハーネスは、ハウジングの後端面のスリット状開口部からコネクタハウジングの外部へ導出され、コネクタハウジングの外部において湾曲した状態で配索されるようになっている。
【先行技術文献】
【特許文献】
【０００３】
【特許文献１】特開２００５−２５９５６０号公報
【発明の概要】
【発明が解決しようとする課題】
【０００４】
上記コネクタでは、フラットハーネスが、ハウジング外への導出方向に沿った仮想軸線を中心として捻られると、フラットハーネスの側縁部が、スリット状開口部の長辺側開口縁に押さえ込まれた状態で長辺側開口縁に対して交差する方向へ引っ張られることになる。そのため、フラットハーネスの側縁部が長辺側開口縁に沿って破断する虞がある。
【０００５】
本発明は上記のような事情に基づいて完成されたものであって、フラットケーブルの破断を防止することを目的とする。
【課題を解決するための手段】
【０００６】
本発明は、
背面にスリット状開口部が形成されたハウジングと、
前記スリット状開口部から前記ハウジングの外部へ導出されたシート状のフラットケーブルと、
前記ハウジングに形成され、前記フラットケーブルが前記ハウジング外への導出方向に沿った仮想軸線を中心として捻られたときに、前記フラットケーブルの側縁部における湾曲領域を線接触又は面接触させる当て部とを備えていることを特徴とする。
【発明の効果】
【０００７】
フラットケーブルが仮想軸線を中心として捻られると、フラットケーブルの側縁部がスリット状開口部の長辺側開口縁に対して交差する方向へ引っ張られる。このとき、フラットケーブルの側縁部における湾曲領域が当て部に対して線接触又は面接触するので、応力が分散されフラットケーブルの側縁部の破断が防止される。
【図面の簡単な説明】
【０００８】
【図１】実施例１のコネクタの後方視斜視図
【図２】コネクタの平面図
【図３】コネクタの正面図
【図４】コネクタの側面図
【図５】図２のＸ−Ｘ線断面図
【図６】図３のＹ−Ｙ線断面図
【図７】実施例２のコネクタの後方視斜視図
【図８】コネクタの平面図
【発明を実施するための形態】
【０００９】
本発明は、前記当て部は、前記スリット状開口部の長辺側開口縁の幅方向における端部に形成され、前記ハウジングを前記フラットケーブルの厚さ方向に見たときに、前記当て部が、前記フラットケーブルの前記側縁部のうち前記仮想軸線に沿った外側縁に対して鋭角をなしていてもよい。この構成によれば、フラットケーブルが捻られたときに、フラットケーブルの側縁部における湾曲領域が、当て部に対して確実に線接触又は面接触する。
【００１０】
本発明は、前記当て部は、前記スリット状開口部の長辺側開口縁の幅方向における端部に形成され、前記ハウジングを前記フラットケーブルの厚さ方向に見たときに、前記当て部が、前記フラットケーブルの前記側縁部のうち前記仮想軸線に沿った外側縁よりも外方へ張り出した形態であってもよい。この構成によれば、フラットケーブルがスリット状開口部に対して幅方向に位置ずれしてとしても、フラットケーブルの側縁部を当て部に対して線接触又は面接触させることができる。
【００１１】
本発明は、前記ハウジングを前記フラットケーブルの幅方向に見たときの前記当て部の形状が、テーパ状又は円弧状をなしていてもよい。この構成によれば、フラットケーブルの側縁部と当て部との接触面積が大きく確保されるので、フラットケーブルの側縁部の破断を、より確実に防止することができる。
【００１２】
＜実施例１＞
以下、本発明を具体化した実施例１を図１〜図６を参照して説明する。尚、以下の説明において、前後の方向については、図１，２，４，６における左方を前方と定義する。上下の方向については、図１，３〜６にあらわれる向きを、そのまま上方、下方と定義する。
【００１３】
本実施例１のコネクタＡは、ハウジング１０と、フレキシブル導電路２５とを組み付けて構成されている。図１，４〜６に示すように、ハウジング１０は、全体として偏平な形状をなす合成樹脂製のロアハウジング１１と、全体として偏平な形状をなす合成樹脂製のアッパハウジング１２とを上下に重ねるように合体させて形成されている。
【００１４】
図６に示すように、ハウジング１０内における前端側領域には、前後方向に細長い複数の端子収容室１３が、左右方向に並列した状態で形成されている。各端子収容室１３には、ロアハウジング１１の上面から段差状に突出した形態の抜止め部１４が形成されている。各端子収容室１３の前端はハウジング１０の前端面においてハウジング１０外へ開口している。
【００１５】
ハウジング１０内における後端側領域には１つのケーブル収容室１５が形成されている。ケーブル収容室１５の前端は、全ての端子収容室１３の後端に連通している。ケーブル収容室１５の後端は、ハウジング１０の背面１６（後端面）において横長のスリット状開口部１７としてハウジング１０の後方外部へ開放されている。スリット状開口部１７の開口縁のうち左右方向の縁部は、上下一対の長辺側開口縁１８となっている。
【００１６】
ロアハウジング１１の上面のうちケーブル収容室１５を構成する領域には、上方へ片持ち状に突出する複数の円柱形をなすストッパ１９が、左右方向に間隔を空けて一体に形成されている。ストッパ１９には、その後面部を切欠した形態の係止凹部２０が形成されている。ロアハウジング１１の上面における後端部には、ケーブル収容室１５の全幅に亘って左右方向に延びた形態の上向きリブ２１が形成されている。
【００１７】
アッパハウジング１２のうちケーブル収容室１５を構成する壁部には、上下方向に貫通した形態の複数の長孔２２が、左右に間隔を空けて形成されている。長孔２２にはストッパ１９が貫通され、長孔２２の開口縁部における後縁部がストッパ１９の係止凹部２０に嵌合している。この嵌合により、ロアハウジング１１とアッパハウジング１２が上下方向へ離間することを規制されている。アッパハウジング１２の下面における後端部には、ケーブル収容室１５の全幅に亘って左右方向に延びた形態の下向きリブ２３が形成されている。
【００１８】
下向きリブ２３とロアハウジング１１の上向きリブ２１は、ストレインリリーフ部２４を構成する。ストレインリリーフ部２４は、ストッパ１９より後方（ハウジング１０の後端部）に配置されている。ストレインリリーフ部２４は、フラットケーブル２９を屈曲させた状態で前後方向及び上下に挟むことにより、フレキシブル導電路２５（フラットケーブル２９）がハウジング１０に対して後方へ相対変位することを規制規制する機能を発揮する。
【００１９】
フレキシブル導電路２５は、複数の端子収容室１３に個別に収容される複数の端子金具２６と、可撓性を有するフラットケーブル２９とを備えて構成されている。端子金具２６は、全体として前後方向に細長い形状をなす。端子金具２６の前端部は、基板用コネクタ（図示省略）の基板側端子（図示省略）に接続される角筒状の端子本体部２７となっている。端子金具２６の後端部は、端子本体部２７の後端から後方へ延出した角筒状の固着部２８となっている。
【００２０】
フラットケーブル２９は、合成樹脂（絶縁材料）からなる絶縁シート３０と、絶縁シート３０内に埋設された状態で配索された複数本の導体（図示省略）と、絶縁シート３０の前端部の曲げ剛性を高めるための補強板３１とを備えて構成されている。図示は省略するが、フラットケーブル２９の前端部には、左右方向に間隔を空けて櫛歯状に並列配置された複数の分岐部３２が形成されている。
【００２１】
絶縁シート３０は、柔軟に湾曲変形し得る材料からなり、フラットケーブル２９の全領域と同一の形状を有する。絶縁シート３０の前端部は、フラットケーブル２９の前端部と同様、櫛歯状に分岐している。櫛歯状の分岐部３２の上面には、導体の前端部が露出している。この導体の露出部分には端子金具２６の固着部２８が載置され、固着部２８と導体の前端部とが半田付け等により導通可能に固着されている。導体に接続された端子金具２６の端子本体部２７は、分岐部３２から前方へ片持ち状に延出している。
【００２２】
補強板３１は、単一部材であり、フラットケーブル２９の前端部のみに配され、絶縁シート３０の下面に積層した状態で一体化されている。補強板３１の前端部は、フラットケーブル２９及び絶縁シート３０と同様、櫛歯状に分岐している。補強板３１の後端はストッパ１９よりも後方に位置する。フラットケーブル２９のうち絶縁シート３０と補強板３１が積層されている領域には貫通孔３３が形成されている。貫通孔３３がストッパ１９に嵌合されることにより、フレキシブル導電路２５（フラットケーブル２９）は、ハウジング１０に対して後方へ相対変位することを規制されている。
【００２３】
フラットケーブル２９に複数の端子金具２６を一体化したフレキシブル導電路２５は、ハウジング１０に組み付けられる。組み付けに際しては、ロアハウジング１１の上面に端子金具２６とフラットケーブル２９の前端部を載置する。このとき、フラットケーブル２９の貫通孔３３をストッパ１９に嵌合させることにより、フラットケーブル２９の前端部と端子金具２６が、ロアハウジング１１に対して前後方向及び左右方向に位置決めされる。これと同時に、端子金具２６の端子本体部２７の後端をロアハウジング１１の抜止め部１４に対し前方から引っ掛けて係止状態とする。
【００２４】
次に、フレキシブル導電路２５の上からアッパハウジング１２を被せ、ロアハウジング１１とアッパハウジング１２を合体させる。このとき、ストッパ１９の係止凹部２０とアッパハウジング１２の長孔２２の後縁部とを嵌合して係止状態とすることにより、ロアハウジング１１とアッパハウジング１２の後端部が上下に離間することを規制される。ロアハウジング１１とアッパハウジング１２が合体すると、ストレインリリーフ部２４がフラットケーブル２９を挟み付けて後方への後方変位を規制する。以上により、ハウジング１０に対するフレキシブル導電路２５の組付けが完了する。
【００２５】
フレキシブル導電路２５をハウジング１０に組み付けた状態では、フラットケーブル２９がスリット状開口部１７からハウジング１０の後方へ導出される。フラットケーブル２９のうちハウジング１０の後方へ露出している領域は、絶縁シート３０の柔軟性により三次元方向へ湾曲変形し得る。この湾曲変形には、フラットケーブル２９が、ハウジング１０からの導出方向と平行な仮想軸線３４を中心として捻れる形態の変形も含まれる。本実施例１において、仮想軸線３４は、フラットケーブル２９の幅方向（左右方向）における中央部を貫通する前後方向の軸線と定義する。
【００２６】
フラットケーブル２９が仮想軸線３４を中心として捻られると、フラットケーブル２９の側縁部２９Ｓがハウジング１０の背面１６の近傍でフラットケーブル２９の厚さ方向（上方又は下方）へ変位しようとする。ところが、フラットケーブル２９の側縁部２９Ｓは、スリット状開口部１７の幅方向両端部においてスリット状開口部１７の長辺側開口縁１８に押さえ込まれるため、フラットケーブル２９の厚さ方向へ変位することはできない。そのため、フラットケーブル２９の側縁部２９Ｓが破断してしまうことが懸念される。
【００２７】
そこで、本実施例１では、フラットケーブル２９の破断を防止する手段として、スリット状開口部１７に当て部３５を形成し、フラットケーブル２９が捻られたときにフラットケーブル２９の側縁部２９Ｓに生じる応力を分散するようにしている。当て部３５は、ハウジング１０の背面１６における左右両端部に形成されている。ハウジング１０の背面１６のうち当て部３５を除いた中央側領域１６Ｃは、フラットケーブル２９の厚さ方向に見た平面視（図２を参照）において、仮想軸線３４（フラットケーブル２９の導出方向）と直角な平面からなる。
【００２８】
平面視において、ハウジング１０の背面１６のうち当て部３５が形成された左右両端部の応力分散領域１６Ｓは、中央側領域１６Ｃに対して鈍角をなし、且つ仮想軸線３４に対して斜め方向の直線で構成されている。即ち、平面視において、当て部３５は、フラットケーブル２９の側縁部２９Ｓのうち仮想軸線３４と平行な外側縁２９Ｅに対して鋭角をなしている。平面視において、左右方向における当て部３５の形成領域は、フラットケーブル２９の対応する位置（外側縁２９Ｅより幅方向内側の位置）から、フラットケーブル２９と非対応の位置（外側縁２９Ｅより幅方向外側の位置）に亘る範囲となっている。
【００２９】
また、当て部３５を含む長辺側開口縁１８の全領域には、テーパ面３６が形成されている。図６に示すように、テーパ面３６は、ハウジング１０をフラットケーブル２９の幅方向に見たときに、ハウジング１０の背面１６に対して斜めをなしている。当て部３５のうち長辺側開口縁１８の左右両端部の領域は、当て部３５を構成している。
【００３０】
フラットケーブル２９のうちハウジング１０の後方へ導出された部位が仮想軸線３４を中心して捻られると、フラットケーブル２９の側縁部２９Ｓが湾曲する。もし、フラットケーブル２９の厚さ方向に見た平面視において、長辺側開口縁１８の左右両端部が仮想軸線３４と直角をなしている場合、フラットケーブル２９の側縁部２９Ｓにおける湾曲領域２９Ｗが長辺側開口縁１８の左右両端部に対して点接触することになる。この場合、捻れ変形に起因する応力が、フラットケーブル２９の側縁部２９Ｓにおける点接触部位に集中し、その結果、フラットケーブル２９の側縁部２９Ｓが裂けてしまう虞がある。
【００３１】
これに対し、本実施例１では、長辺側開口縁１８の左右両端部にフラットケーブル２９の外側縁２９Ｅに対して鋭角をなす当て部３５を形成しているので、フラットケーブル２９の側縁部２９Ｓのうち湾曲領域２９Ｗが当て部３５に対して線接触又は面接触する。これにより、フラットケーブル２９の側縁部２９Ｓに正張る応力が、当て部３５への接触範囲に亘って分散されるので、フラットケーブル２９の側縁部２９Ｓが破断する虞はない。
【００３２】
上述のように本実施例１のコネクタＡは、背面１６にスリット状開口部１７が形成されたハウジング１０と、先端部に複数の端子金具２６が接続されたシート状のフラットケーブル２９とを備えている。フラットケーブル２９は、スリット状開口部１７からハウジング１０の外部へ導出され、可撓性を有する材料からなる。ハウジング１０には、フラットケーブル２９がハウジング１０外への導出方向に沿った仮想軸線３４を中心として捻られたときに、フラットケーブル２９の側縁部２９Ｓにおける湾曲領域２９Ｗを線接触又は面接触させる当て部３５が形成されている。
【００３３】
フラットケーブル２９が仮想軸線３４を中心として捻られると、フラットケーブル２９の側縁部２９Ｓがスリット状開口部１７の長辺側開口縁１８に対して交差する方向（上方又は下方）へ引っ張られる。このとき、フラットケーブル２９の側縁部２９Ｓにおける湾曲領域２９Ｗが当て部３５に対して線接触又は面接触することにより、フラットケーブル２９の側縁部２９Ｓに生じる応力が分散されるので、フラットケーブル２９の側縁部２９Ｓの破断が防止される。
【００３４】
また、当て部３５は、スリット状開口部１７の長辺側開口縁１８の幅方向における端部に形成されている。ハウジング１０をフラットケーブル２９の厚さ方向に見たときに、当て部３５は、フラットケーブル２９の側縁部２９Ｓのうち仮想軸線３４に沿った外側縁２９Ｅに対して鋭角をなしている。この構成によれば、フラットケーブル２９が捻られたときに、フラットケーブル２９の側縁部２９Ｓにおける湾曲領域が、当て部３５に対して確実に線接触又は面接触する。
【００３５】
また、当て部３５は、ハウジング１０をフラットケーブル２９の厚さ方向に見たときに、フラットケーブル２９の外側縁２９Ｅよりも外方へ張り出した形態である。この構成によれば、フラットケーブル２９がスリット状開口部１７に対して幅方向に位置ずれしてとしても、フラットケーブル２９の側縁部２９Ｓを当て部３５に対して線接触又は面接触させることができる。
【００３６】
また、ハウジング１０をフラットケーブル２９の幅方向に見たときの当て部３５の形状は、テーパ状をなしている。この構成によれば、フラットケーブル２９の側縁部２９Ｓと当て部３５との接触面積が大きく確保されるので、フラットケーブル２９の側縁部２９Ｓの破断を、より確実に防止することができる。
【００３７】
＜実施例２＞
次に、本発明を具体化した実施例２を図７〜図８を参照して説明する。本実施例２のコネクタＢは、ハウジング４０の背面４１の形状と、スリット状開口部４２の平面視形状を上記実施例１とは異なる形態としたものである。その他の構成については上記実施例１と同じであるため、同じ構成については、同一符号を付し、構造、作用及び効果の説明は省略する。
【００３８】
本実施例２のハウジング４０の背面４１には、その全幅に亘りスリット状開口部４２が形成されている。フラットケーブル２９の厚さ方向に見た平面視において、ハウジング４０の背面４１は、その全幅領域に亘り、左右方向中央部が後方へ膨らむように湾曲した曲面だけで構成されている。この背面４１の左右両端部が、当て部４３として機能する。
【００３９】
フラットケーブル２９が仮想軸線３４を中心として捻られると、フラットケーブル２９の側縁部２９Ｓがスリット状開口部４２の長辺側開口縁４４に対して交差する方向（上方又は下方）へ引っ張られる。このとき、フラットケーブル２９の側縁部２９Ｓにおける湾曲領域が当て部４３に対して線接触又は面接触することにより、フラットケーブル２９の側縁部２９Ｓに生じる応力が分散されるので、フラットケーブル２９の側縁部２９Ｓの破断が防止される。
【００４０】
また、当て部４３は、前記スリット状開口部４２の長辺側開口縁４４の幅方向における端部に形成され、ハウジング４０をフラットケーブル２９の厚さ方向に見たときに、当て部４３が、フラットケーブル２９の側縁部２９Ｓのうち仮想軸線３４に沿った外側縁２９Ｅに対して鋭角をなしている。この構成によれば、フラットケーブル２９が捻られたときに、フラットケーブル２９の側縁部２９Ｓにおける湾曲領域２９Ｗが、当て部４３に対して確実に線接触又は面接触する。
【００４１】
また、当て部４３は、ハウジング４０をフラットケーブル２９の厚さ方向に見たときに、フラットケーブル２９の外側縁２９Ｅよりも外方へ張り出した形態である。この構成によれば、フラットケーブル２９がスリット状開口部４２に対して幅方向に位置ずれしてとしても、フラットケーブル２９の側縁部２９Ｓを当て部４３に対して線接触又は面接触させることができる。
【００４２】
また、ハウジング４０をフラットケーブル２９の幅方向に見たときの当て部４３の形状は、テーパ状をなしている。この構成によれば、フラットケーブル２９の側縁部２９Ｓと当て部４３との接触面積が大きく確保されるので、フラットケーブル２９の側縁部２９Ｓの破断を、より確実に防止することができる。
【００４３】
＜他の実施例＞
本発明は上記記述及び図面によって説明した実施例に限定されるものではなく、例えば次のような実施例も本発明の技術的範囲に含まれる。
（１）上記実施例では、ハウジングをフラットケーブルの厚さ方向に見た平面視において、ハウジングの背面のうち当て部の形成されている幅方向両端部（応力分散領域）が、フラットケーブルの外側縁に対して鋭角をなしているが、ハウジングの背面の幅方向両端部は、フラットケーブルの外側縁に対して直角又は鈍角をなしていてもよい。この場合、ハウジングをフラットケーブルの幅方向に見たときの長辺側開口縁の形状を円弧状又はテーパ状とし、この円弧状又はテーパ状の領域を当て部として機能させればよい。このようにすれば、フラットケーブルが捻られたときに、フラットケーブルの側縁部を当て部に対して線接触又は面接触させることができる。
（２）上記実施例では、ハウジングをフラットケーブルの厚さ方向に見たときに、当て部が、フラットケーブルの外側縁よりも外方へ張り出した形態であるが、当て部は、フラットケーブルの外側縁よりも外方へ張り出さない形態であってもよい。この場合、ハウジングをフラットケーブルの幅方向に見たときの当て部の形状を円弧状又はテーパ状とすればよい。このようにすれば、フラットケーブルが捻られたときに、フラットケーブルの側縁部を当て部に対して線接触又は面接触させることができる。
（３）上記実施例では、ハウジングをフラットケーブルの幅方向に見たときの当て部の形状をテーパ状としたが、ハウジングをフラットケーブルの幅方向に見たときの当て部の形状は、円弧状としてもよく、直角に角張った形状としてもよい。
（４）上記実施例では、フラットケーブルの先端部に複数の端子金具が接続されているが、本発明は、フラットケーブルの先端部に接続される端子金具の数が１つだけである場合や、フラットケーブルが、先端部に端子金具が接続されていないカードエッジタイプのものである場合にも適用できる。
【符号の説明】
【００４４】
Ａ、Ｂ…コネクタ
１０、４０…ハウジング
１６、４１…背面
１７、４２…スリット状開口部
１８、４４…長辺側開口縁
２９…フラットケーブル
２９Ｅ…外側縁
２９Ｓ…フラットケーブルの側縁部
２９Ｗ…湾曲領域
３４…仮想軸線
３５、４３…当て部
【図１】
2020077525.tif 000003
【図２】
2020077525.tif 000004
【図３】
2020077525.tif 000005
【図４】
2020077525.tif 000006
【図５】
2020077525.tif 000007
【図６】
2020077525.tif 000008
【図７】
2020077525.tif 000009
【図８】
2020077525.tif 000010